(57)【特許請求の範囲】
【請求項１】
並列する複数の空気室からなり、配列方向の両端に位置する第１の固定側と第１の開口側とを備える第１の緩衝空気封入部と、
並列する複数の空気室からなり、配列方向の両端に位置する第２の固定側と第２の開口側とを備え、一端が前記第１の緩衝空気封入部と互いに連通し、他端が前記第１の緩衝空気封入部の他端と互いに固着し、前記第２の固定側が前記第１の固定側と互いに固着し、前記第１の緩衝空気封入部の前記第１の開口側と前記第２の緩衝空気封入部の前記第２の開口側で開口を囲うことで物品を前記開口から前記第１の緩衝空気封入部と第２の緩衝空気封入部の間に入れる第２の緩衝空気封入部と、
前記第１の固定側に固定される固定端と、定位端とを備え、その長さが前記第１の緩衝空気封入部の並列する前記空気室の配列方向における長さより長く、その幅が前記開口の幅以上であり、前記第１の緩衝空気封入部と前記第２の緩衝空気封入部に空気を注入して膨張すると、前記第１の緩衝空気封入部と前記第２の緩衝空気封入部の配列方向における長さが短縮し、バンドの長さが空気を注入して膨張した前記第１の緩衝空気封入部、或いは、前記第２の緩衝空気封入部の配列方向における長さより長く、前記バンドが前記第１の緩衝空気封入部を巻きながら前記第１の緩衝空気封入部上に前記第１の緩衝空気封入部を保護する保護平面を形成し、前記定位端が前記開口を超過して遮蔽することで、前記物品の脱落を避け、前記定位端を前記第２の緩衝空気封入部に貼り付けて固定でき、前記第１の緩衝空気封入部と前記第２の緩衝空気封入部が前記物品を緊結するバンドと、
を含むことを特徴とする緩衝機能を有する包装袋。
【発明の詳細な説明】
【技術分野】
【０００１】
本発明は、包装袋に関し、特に、緩衝機能を有する包装袋に関する。
【背景技術】
【０００２】
一般的に手紙或いは物品を郵送する時、その手紙或いは物品を封筒内に入れ、封筒の正面に受取人の情報及び差出人の情報を記入、印刷又はタイピングしてから、接着剤或いは他の方法により封筒を封緘する。しかし長年に亘り一般的に使用されてきたにもかかわらず封筒は、例えば封緘口の構造内に留め金を増設したり、若しくは玉ひもを設けたり、或いは封緘口糊付機能を付加した程度で、大きな変化が無く、デザインも多少変化しただけで、内容物の違いに対応できていない。
【０００３】
内容物を緩衝保護できるようにするため、まず内容物を複数の気泡緩衝シートで包んでから封筒内に封入し、若しくは封筒内に複数の気泡緩衝シートを布設してから、内容物を封筒内に封入し、気泡の緩衝保護を介して、内容物が直接衝撃を受けて損傷することを避けることができる。しかしながら、気泡の振動吸収能力が不足し、大きな衝撃負荷に対し緩衝・振動吸収の目的を達成することができず、運送途中において完全な保護を受けなければならない精密物品に対し、この包装で運送できなかった。
【発明の概要】
【発明が解決しようとする課題】
【０００４】
本発明は、上記問題を鑑みてなされたものであり、緩衝機能と良好な効果を有する包装袋を提供することを目的とする。
【課題を解決するための手段】
【０００５】
上記目的を達成するため、本発明の技術的思想は、緩衝機能を有する包装袋であって、複数の空気室からなる第１の緩衝空気封入部と、前記第１の緩衝空気封入部と接合して物品の収容に用いられる収容空間を形成する複数の空気室からなる第２の緩衝空気封入部と、前記第１の緩衝空気封入部及び／或いは前記第２の緩衝空気封入部と接合し、前記収容空間の入口を封止して開口を閉鎖できるバンドとを含む。第１の緩衝空気封入部と第２の緩衝空気封入部の上方につながり合う箇所を封止せず、自然な開口を形成し、この開口が物品の入口となる。
【０００６】
前記第１の緩衝空気封入部は、第１の固定側と第１の開口側を更に含み、前記第１の開口側が前記収容空間の開口部に位置し、前記第１の固定側が前記第１の緩衝空気封入部の前記第１の開口側の反対端に位置する。
【０００７】
前記第２の緩衝空気封入部は、第２の固定側と第２の開口側を更に含み、前記第２の開口側が前記収容空間の開口部に位置し、前記第２の固定側が前記第２の緩衝空気封入部の前記第２の開口側の反対端に位置し、前記第２の固定側が前記第１の固定側と互いに固定接合する。
【０００８】
好しくは、前記第２の緩衝空気封入部上の前記第２の開口側と隣接する一端は、前記第１の緩衝空気封入部と連通し、前記第２の緩衝空気封入部上の前記第２の開口側と隣接する他端が前記第１の緩衝空気封入部の他端と互いに固定接合する。
【０００９】
好しくは、前記バンドは宛名ラベルを貼付できる平面及び開口を緊結して被包装物を封止し、物品と前記収容空間の大きさが合っているかを問わず、バンドを利用して該開口を緊結方式で封止できるため、バンドは独立したプラスチック片、或いは該プラスチック片とその他材料の複合からなる独立片体、若しくは本体の緩衝空気封入部から延伸した空気注入不能ゾーンを形成できる。前記バンドには、前記第１の固定側と接合する固定端と、前記収容空間の開口を封止するため前記第２の緩衝空気封入部に固定できる定位端とを含む。
【００１０】
好しくは、前記定位端に粘着部材が設けられ、前記定位端を前記第２の緩衝空気封入部に固定することに用いる。
【００１１】
好しくは、前記バンドは、前記第２の固定側と接合する固定端と、前記収容空間の開口を封止するため前記第１の緩衝空気封入部に固定できる定位端とを含む。
【００１２】
好しくは、前記定位端に粘着部材が設けられ、前記定位端を前記第１の緩衝空気封入部に固定することに用いる。
【００１３】
好しくは、前記バンドが複数の片体の場合、うち、２本のバンドの左右を熱溶着接合し、第１の緩衝空気封入部或いは第２の緩衝空気封入部に繋がらず、底部が前記第１の緩衝空気封入部及び前記第２の緩衝空気室の底部と熱溶着して、前記第１の緩衝空気封入部と前記第２の緩衝空気封入部を包み込む緩い袋体を形成する。３本目のバンドは固定端と定位端とを含み、前記固定端が前記第１の固定側或いは前記第２の固定側と接合し、前記収容空間の開口を封止するため、前記定位端を前記袋体に固定できる。
【００１４】
好しくは、前記バンドの長さ、幅は、いずれも緩衝空気封入部の面積の大きさによって自身で調整できる。
【００１５】
好しくは、前記バンドの材質は、ＰＥ又はＰＥと例えば紙、発泡ポリエチレン、布、ダンボール等の異なる材質の素材からなることができる。
【００１６】
好しくは、前記バンドはプラスチック片で、本体が平面で、郵送時の受取人情報を貼付するため、該平面を利用して各種宛名ラベルを貼付できる。
【００１７】
好しくは、前記第１の緩衝空気封入部と前記第２の緩衝空気封入部に空気を注入するための少なくとも１個のエアバルブ装置を更に含む。
【００１８】
好しくは、前記エアバルブ装置は空気注入の自動停止或いは連続的な空気注入を自動停止する一組の一方向ストップバルブである。
【００１９】
好しくは、前記エアバルブ装置を通じて前記第１の緩衝空気封入部と前記第２の緩衝空気封入部と相互に連通する空気注入通路を更に含む。各形状の空気を溜めることができる空気室に独立した一方向ストップバルブが設けられるため、空気注入通路から空気が注入された後、空気室のストップバルブは、自動的に注入口を閉じて気体が漏れ出ないようにすることで、第１の緩衝空気室と第２の緩衝空気室に緩衝機能を持たせる。
【００２０】
好しくは、前記第１の緩衝空気封入部と前記第２の緩衝空気封入部は、外側フィルムを２枚重ねてから熱溶着して形成される。
【００２１】
好しくは、前記バンドはもう１枚のプラスチックフィルムを第１の緩衝空気封入部或いは第２の緩衝空気封入部と接合して形成、若しくは前記包装袋に設けられた空気注入不能ゾーンによって形成できる。
【００２２】
好しくは、前記第１の緩衝空気封入部と前記第２の緩衝空気封入部に空気注入可能ゾーンと空気注入不能ゾーンが設けられ、前記空気注入可能ゾーンが前記第１の緩衝空気封入部と前記第２の緩衝空気封入部を形成し、前記空気注入不能ゾーンのプラスチック外側フィルムを切断し、独立した２本の前記バンドを形成し、前記第１の緩衝空気封入部と第２の緩衝空気封入部に各々対応する。
【００２３】
本発明は複数の空気室からなる第１の緩衝空気封入部と第２の緩衝空気封入部で、運送過程において、物品を効果的に緩衝保護でき、既存気泡の振動吸収能力が不足するという問題を解決できる。その他、バンドに宛名ラベルを貼ることができる以外に、空気室が突き破られることも防止でき、且つ、バンドは第１の緩衝空気封入部と第２の緩衝空気封入部を緊結し、大きさが異なる物品の運送過程においても、不安定にならないようにすることができる。
【００２４】
また、バンドも２枚のプラスチック片からなることができ、緩衝片体の左右両側にこの両片体を熱溶着して入口の相対底部に置き、これら緩衝部を両片体と熱溶着して形成する。
【図面の簡単な説明】
【００２５】
【図１】本発明に係る第１の実施例の正面図（一）である。
【図２】本発明に係る第１の実施例の正面図（二）である。
【図３】本発明に係る第１の実施例の正面図（三）である。
【図４Ａ】図３のＡ−Ａ’部位の断面図である。
【図４Ｂ】図３のＢ−Ｂ’部位の断面図である。
【図５】本発明に係る第１の実施例の物品を収納する様子の外観図である。
【図６】本発明に係る第１の実施例の物品を収納した様子の側面図である。
【図７】本発明に係る第１の実施例の開口部を封止した様子の側面図である。
【図８】本発明に係る第１の実施例の宛名ラベルを貼付した様子の外観図である。
【図９Ａ】本発明に係る第２の実施例の正面図（一）である。
【図９Ｂ】本発明に係る第２の実施例の正面図（二）である。
【図１０】本発明に係る第２の実施例の正面図（三）である。
【図１１】本発明に係る第２の実施例の物品を収納する様子の外観図である。
【図１２】本発明に係る第２の実施例の開口部を封止した様子の側面図である。
【図１３】本発明に係る第３の実施例の包装袋に設けられた空気注入可能ゾーンと空気注入不能ゾーンを示す図である。
【図１４】本発明に係る第３の実施例の包装袋に設けられた空気注入可能ゾーンと空気注入不能ゾーンを示す図である
【図１５】本発明に係る第３の実施例のバンドを示す図である。
【図１６】本発明に係る第３の実施例のバンドで形成された袋体を示す図である。
【図１７】本発明に係る第３の実施例の袋体開口部を封止した様子を示す図である。
【発明を実施するための形態】
【００２６】
以下、本発明の構造と原理を更に明確に分かりやすくするため、実施例を添付図面に基づいて説明する。なされた実施例は、あくまでも本発明の技術内容を明らかにするものであって、本発明の保護範囲はこのような具体例にのみ限定して狭義に解釈されるべきものではない。
【実施例】
【００２７】
（第１の実施例）
本発明の緩衝機能を有する包装袋１は、複数の空気室からなる第１の緩衝空気封入部３と、前記第１の緩衝空気封入部３と接合して物品の収容に用いられる収容空間を形成する複数の空気室からなる第２の緩衝空気封入部４と、前記第１の緩衝空気封入部３及び／或いは前記第２の緩衝空気封入部４と接合し、前記収容空間の開口を封止することに用いられるバンド８と、を含む。
【００２８】
第１の外側フィルム２１と第２の外側フィルム２２を熱溶着により接合して空気室シート２を形成し、且つ第１の外側フィルム２１と第２の外側フィルム２２を上下に重ね、熱溶着手段により熱溶着線２３ａ、２３ｂ、２３ｃ、２３ｄ、２３ｅが形成され、従って複数の空気室２５を有する空気室シート２を形成でき、空気室シート２は相互に連通する第１の緩衝空気封入部３と第２の緩衝空気封入部４に区分される。
図１に示すように、複数の空気室２５が配列方向Ｘにおいて順番通り隣接して設置され、且つ複数の空気室２５の長軸方向Ｙにおいて第１の緩衝空気封入部３と第２の緩衝空気封入部４に区分され、よって第１の緩衝空気封入部３の一端と第２の緩衝空気封入部４が相互に連通する。
【００２９】
複数の空気室からなる第１の緩衝空気封入部３と第２の緩衝空気封入部４は、運送過程において、物品を効果的に緩衝保護でき、既存の気泡緩衝シートが有する、振動吸収能力が不足するという問題を解決できる。
【００３０】
本実施例において、第１の緩衝空気封入部３は第１の固定側３ａと第１の開口側３ｂとを備え、且つ、第１の固定側３ａと第１の開口側３ｂが第１の緩衝空気封入部３の空気室２５の配列方向Ｘにおける両端に位置する。第２の緩衝空気封入部４が第２の固定側４ａと第２の開口側４ｂとを備え、且つ、第２の固定側４ａと第２の開口側４ｂが第２の緩衝空気封入部４の空気室２５の配列方向Ｘにおける両端に位置する。
【００３１】
図１と図２に示すように、バンド８は固定端８１と定位端８２とを備え、固定端８１が第１の緩衝空気封入部３の第１の固定側３ａに固定される。
【００３２】
前記バンド８の長さと幅は、実際のニーズに応じて設定できる。本実施例において、バンド８の長さが第１の緩衝空気封入部３の空気室２５の配列方向Ｘにおける長さより長くなる。
【００３３】
本実施例において、バンド８の長さは第１の緩衝空気封入部３の空気室２５の配列方向Ｘの長さと同じになる。等しい長さの第１の外側フィルム２１、第２の外側フィルム２２をバンド８と熱溶着して包装袋を形成するため、加工が容易になる。
【００３４】
本実施例において、前記バンド８の幅は、前記第１の緩衝空気封入部３の空気室延伸方向の長さを下回り、美しく見え且つコストを削減できる。
【００３５】
そこで、バンド８と第１の外側フィルム２１と第２の外側フィルム２２、第１の内側フィルム５１と第２の内側フィルム５２はポリエステル類（ｐｏｌｙｅｓｔｅｒ）、ポリエチレン−ポリプロピレン共重合体、ポリエチレンテレフタレート（ＰＥＴ）、エチレンビニルアルコール（ＥＶＡ）、ポリプロピレン（ＰＰ）、ナイロン（Ｎｙｌｏｎ）をＰＥと複合したフィルム、生分解性材料（ｂｉｏｄｅｇｒａｄａｂｌｅ  ｍａｔｅｒｉａｌｓ）、高分子材料で被覆された紙素材等の熱溶着可能な熱溶着性材質で製造され、空気室２５が突き破られることを防止できる。
【００３６】
更に空気室２５が突き破られることを防止するため、バンド８も他の強化材質で製造できる。
【００３７】
防水の目的を達成するため、バンド８も他の防水材質で製造できる。
【００３８】
その他、バンド８は定位端８２に粘着部材８５を設けることができ、例えば粘着剤、マジックテープ（登録商標）（Ｖｅｌｃｒｏ（登録商標））等であるが、本発明ではこれに限定されないものとする。
【００３９】
図３と図４Ａに示すように、第１の緩衝空気封入部３の屈曲部と第２の緩衝空気封入部４を重合し、第１の緩衝空気封入部３と第２の緩衝空気封入部４の未連通側を熱溶着し、また第１の固定側３ａと第２の固定側４ａを熱溶着して接合固定し、第１の緩衝空気封入部３と第２の緩衝空気封入部４が物品収容空間を形成し、第１の開口側３ｂと第２の開口側４ｂで囲んで該収容空間の開口２０となる。
【００４０】
図４Ｂを参照しながら説明する。前記空気注入方法により空気室シート２に空気を注入した後、第１の緩衝空気封入部３と第２の緩衝空気封入部４の空気室２５は空気を注入して膨張し、空気が注入されていない状態の重合片状（図３）から空気注入膨張状態の立体柱状（図５）に変わる。言い換えると、第１の外側フィルム２１と第２の外側フィルム２２は空気注入により膨張して外側へ広がって立体状に変わり、第１の緩衝空気封入部３と第２の緩衝空気封入部４の配列方向Ｘにおける長さが短縮する。
バンド８は片体構造で、空気室シート２に空気を注入して膨張した後もその長さが変わらないが、第１の緩衝空気封入部３と第２の緩衝空気封入部４の配列方向Ｘにおける長さが短縮するため、空気注入による膨張状態の時、バンド８の配列方向Ｘにおける長さは第１の緩衝空気封入部３或いは第２の緩衝空気封入部４の長さを上回る。
【００４１】
図５を参照しながら説明する。図５に示されるように、空気室シート２で１つの袋体を形成し、第１の緩衝空気封入部３と第２の緩衝空気封入部４の間に物品９を収納できる収容空間を備える。図５、図６、図７及び図８を参照しながら説明する。
利用者が物品９を第１の緩衝空気封入部３と第２の緩衝空気封入部４の間に入れた後、バンド８で第１の緩衝空気封入部３から第２の緩衝空気封入部４を巻き、バンド８の粘着部材８５でその定位端８２を第２の緩衝空気封入部４に貼付することで、開口２０を遮蔽し、物品９が第１の緩衝空気封入部３と第２の緩衝空気封入部４の間から脱落を避ける。特に注意したいことは、図８に示すように、利用者がバンド８によって梱包する過程において、バンド８をしっかりと締めることで第１の緩衝空気封入部３と第２の緩衝空気封入部４の頂上端（開口２０に近い端）を密着させるため、空気室２５が物品９を緊密に包み込み、また空気室が突き破られるのを防止でき、運送過程においても、物品９が第１の緩衝空気封入部３と第２の緩衝空気封入部４の間に移動することを効果的に防止できる。
更に言うと、物品９の大きさに伴い、バンド８もその異なる位置の粘着を調整して第１の緩衝空気封入部３と第２の緩衝空気封入部４を緊結し、空気室２５で異なる大きさの物品９を緊密に包み込ませることができ、郵送の利便性が増し、物品の大きさの違いにより包装袋１の寸法を変更する必要がない。
【００４２】
図８を参照しながら説明する。一実施例において、バンド８に宛名ラベル８６を設けて郵送するため、利用者が宛名ラベル８６に受取人及び差出人の情報を記入、印刷又はタイピング、若しくは運送の注意事項を記載できる。
【００４３】
（第２の実施例）
図９乃至図１２を参照しながら説明する。図９乃至図１２に示すのは、本発明の第２の実施例において開示される緩衝機能を有する包装袋である。本実施例と第１の実施例の最大の相違点は、バンドの構造である。
本実施例において、第１の緩衝空気封入部３の第１の固定側３ａにバンド８が設けられ、第２の緩衝空気封入部４の第２の固定側４ａにも同様にバンド８が設けられる。前記のように、空気室シート２で１つの袋体を形成し、物品９を第１の緩衝空気封入部３と第２の緩衝空気封入部４の間に入れた後、第１の固定側３ａにあるバンド８で第１の緩衝空気封入部３から第２の緩衝空気封入部４を巻き、粘着部材８５でその定位端８２を第２の緩衝空気封入部４に貼付させ、第２の固定側４ａにあるバンド８で第２の緩衝空気封入部４から第１の緩衝空気封入部３を巻き、粘着部材８５でその定位端８２を別のバンド８に貼付することで、物品９を第１の緩衝空気封入部３と第２の緩衝空気封入部４の間に梱包できる。
【００４４】
上記は、バンド８の接合形式を制限することはなく、バンド８はまた固定端を通じて第２の緩衝空気封入部４の第２の固定側４ａのみに固定し、物品を第１の緩衝空気封入部３と第２の緩衝空気封入部４の間に入れた後、第２の固定側４ａにあるバンド８で第２の緩衝空気封入部４から第１の緩衝空気封入部３を巻き、粘着部材８５でその定位端８２を第１の緩衝空気封入部３に貼付することで、開口２０を遮蔽して物品９が第１の緩衝空気封入部３と第２の緩衝空気封入部４の間から脱落することを避け、同時に物品９が第１の緩衝空気封入部３と第２の緩衝空気封入部４の間における不安定を防止できる。
【００４５】
（第３の実施例）
１３乃至図１７に示すように、前記バンド８は、複数本であってもよい。
【００４６】
前記バンド８は、もう１枚のプラスチックフィルムを第１の緩衝空気封入部３或いは第２の緩衝空気封入部４と接合して形成、或いは包装袋に設けられた空気注入不能ゾーンによって形成できる。
【００４７】
前記第１の外側フィルム２１と第２の外側フィルム２２に空気注入可能ゾーンａと空気注入不能ゾーンｂが設けられ、前記空気注入可能ゾーンａが熱溶着されて前記第１の緩衝空気封入部３と前記第２の緩衝空気封入部４を形成し、前記空気注入不能ゾーンｂのプラスチック製外側フィルムを切断して、独立した２本の前記バンド８を形成し、前記第１の緩衝空気封入部３と第２の緩衝空気封入部４に各々対応する。
【００４８】
２本の前記バンドの左右を熱溶着接合し、第１の緩衝空気封入部３或いは第２の緩衝空気封入部４に繋がらず、底部が前記第１の緩衝空気封入部３及び前記第２の緩衝空気室４の底部と熱溶着して、前記第１の緩衝空気封入部３と前記第２の緩衝空気封入部４を包み込み、開口を有する緩い袋体を形成する。
【００４９】
上述の基礎において、前記袋体の開口を封止するため、前記袋体の開口箇所にある１本の前記バンド８に前記定位端を設けることができ、前記定位端をもう１本の前記バンド８に固定できる。
【００５０】
上記の基礎において３本目の前記バンド８を設置でき、３本目の前記バンド８は固定端８１と定位端８２とを含み、前記固定端８１が前記第１の固定側或いは前記第２の固定側と接合（つまり前記袋体の底部）し、前記収容空間の開口を封止するため、前記定位端８２を前記袋体に固定できる。３本目の前記バンド８に宛名ラベル８６を設ける。
【００５１】
前記バンド８の長さ、幅は、いずれも第１の緩衝空気封入部３又は第２の緩衝空気封入部４の面積の大きさによって自身で調整できる。
【００５２】
前記バンド８の材質は、ＰＥ又はＰＥと例えば紙、発泡ポリエチレン、布、ダンボール等の異なる材質の素材からなることができる。
【００５３】
前記バンド８はプラスチック片で、本体が平面で、郵送時の受取人情報を貼付するため、該平面を利用して各種宛名ラベルを貼付できる。
【００５４】
本発明の緩衝機能を有する包装袋は、前記第１の緩衝空気封入部３と前記第２の緩衝空気封入部４に空気を注入するため、少なくとも１個のエアバルブ装置を更に含む。
【００５５】
本発明の緩衝機能を有する包装袋は、前記エアバルブ装置を通じて前記第１の緩衝空気封入部３、前記第２の緩衝空気封入部４と相互に連通する空気注入通路２４を更に含む。
【００５６】
一実施例において、前記エアバルブ装置は連続ストップバルブ５である。第１の外側フィルム２１と第２の外側フィルム２２が熱溶着により接合して熱溶着線２３ｆを形成し、熱溶着線２３ａ、２３ｆの第１の外側フィルム２１と第２の外側フィルム２２の間に空気注入通路２４が形成され、空気注入通路２４の一端が空気注入口２４ａ（図４Ａ）を備える。
【００５７】
一実施例において、図１と図４Ｂに示すように、第１の外側フィルム２１と第２の外側フィルム２２の間に第１の内側フィルム５１と第２の内側フィルム５２を設置することで連続ストップバルブ５を形成できる。
連続ストップバルブ５は第１の緩衝空気封入部３に設けることができ、且つ第１の内側フィルム５１と第２の内側フィルム５２を第１の外側フィルム２１と第２の外側フィルム２２の内頂部の略低い箇所に置き、熱溶着方法で熱溶着点５ａを生成することで、第１の外側フィルム２１と第１の内側フィルム５１、第２の外側フィルム２２と第２の内側フィルム５２を接合し、また第１の内側フィルム５１と第２の内側フィルム５２の内表面に間隔を設けて複数の耐熱材料５３を塗布し、耐熱材料５３を利用して空気が流通できる通路とする。
その他、第１の内側フィルム５１と第２の内側フィルム５２は熱溶着方法による接合を通じて複数の気体通路５４を形成し、各空気室２５は少なくとも１本の気体通路５４に対応する。空気注入通路２４内は熱溶着点５ａで第１の外側フィルム２１と第１の内側フィルム５１、第２の外側フィルム２２と第２の内側フィルム５２をそれぞれ接合するため、気体が空気注入口２４ａから空気注入通路２４に入って空気注入通路２４を膨張させ、第１の外側フィルム２１と第２の外側フィルム２２が気体に押されて外側へ広がり、熱溶着点５ａにより接合していない第１の内側フィルム５１と第２の内側フィルム５２を外側へ広げ、空気注入通路２４内の気体が空気注入通路２４を経由して空気室２５に注入される。
【００５８】
連続ストップバルブ５に関する前述の説明は具体例のみであって、本発明はそのような具体例に限定されるべきものではない。前記エアバルブ装置も各空気室２５が各々設置した独立の単一エアバルブ構造、或いは気体を空気室２５に注入した後の他の空気を停止するエアバルブ構造である。その他、エアバルブ構造を第１の緩衝空気封入部３に設け、また第２の緩衝空気封入部４も設けることができる。
【００５９】
上記は、本発明の好ましい実施例であって、そのような具体例により本発明の保護範囲が限定されるべきものではなく、当業者が本発明の精神から離れることなく為した種々の変更及び改変は、本発明の範囲に含まれる。
【符号の説明】
【００６０】
１      郵送封筒
２      空気室シート
２０    開口
２１    第１の外側フィルム
２２    第２の外側フィルム
２３ａ  熱溶着線
２３ｂ  熱溶着線
２３ｃ  熱溶着線
２３ｄ  熱溶着線
２３ｅ  熱溶着線
２３ｆ  熱溶着線
２４    空気注入通路
２４ａ  空気注入口
２５    空気室
３      第１の緩衝空気封入部
３ａ    第１の固定側
３ｂ    第１の開口側
４      第２の緩衝空気封入部
４ａ    第２の固定側
４ｂ    第２の開口側
５      連続ストップバルブ
５ａ    熱溶着点
５１    第１の内側フィルム
５２    第２の内側フィルム
５３    耐熱材料
５４    気体通路
８      バンド
８１    固定端
８２    定位端
８５    粘着部材
８６    宛名ラベル
９      物品
Ｘ      配列方向
Ｙ      長軸方向
ａ      空気注入可能ゾーン
ｂ      空気注入不能ゾーン
【図１】
0005600338.tif 000002
【図２】
0005600338.tif 000003
【図３】
0005600338.tif 000004
【図４Ａ】
0005600338.tif 000005
【図４Ｂ】
0005600338.tif 000006
【図５】
0005600338.tif 000007
【図６】
0005600338.tif 000008
【図７】
0005600338.tif 000009
【図８】
0005600338.tif 000010
【図９Ａ】
0005600338.tif 000011
【図９Ｂ】
0005600338.tif 000012
【図１０】
0005600338.tif 000013
【図１１】
0005600338.tif 000014
【図１２】
0005600338.tif 000015
【図１３】
0005600338.tif 000016
【図１４】
0005600338.tif 000017
【図１５】
0005600338.tif 000018
【図１６】
0005600338.tif 000019
【図１７】
0005600338.tif 000020